(57)【要約】【課題】  表紙体へ着脱可能な綴じ具を有し、綴じ具を表紙体から取り外した状態で任意の項で無理なく折り返すことのできるリングファイルを提供する。【解決手段】  綴じ具Ｂの基部となる棒状の支軸Ｂ１に、その長手方向Ｘを回転軸として支軸Ｂ１に対しリング部材Ｂ２の開閉しない側で約１８０度回転可能な回転板Ｂ３を備え、回転板Ｂ３と表紙体Ｃとに係合手段を設けて、綴じ具Ｂの表紙体Ｃへの着脱を可能にする。【選択図】図１
2012111219.tif 000002
【特許請求の範囲】
【請求項１】
基部となる棒状の支軸と、該支軸に回転可能に基端部が固定され他端が互いに係り合って閉ループを形成可能な互いに対向する二個のリング片から成るリング部材と、回転板と、が設けられた綴じ具と、
表紙体と、
を備えて成るリングファイルにおいて、
前記回転板が前記支軸の長手方向を回転軸として前記支軸に対し前記リング部材の開閉しない側で約１８０度回転可能であって、
前記回転板と前記表紙体に予め設けられた係合手段によって前記綴じ具が前記表紙体へ着脱可能であることを特徴とするリングファイル。
【請求項２】
前記リング片は、その基端部に予め設けた貫通孔を前記支軸が貫くことにより、回転可能に前記支軸に固定されていることを特徴とする請求項１記載のリングファイル。
【請求項３】
前記係合手段は、前記表紙体に予め設けられた二重にした部分に前記回転板を嵌め込む方法であることを特徴とする請求項１または請求項２記載のリングファイル。
【請求項４】
前記係合手段は、前記表紙体の内面に予め設けられた磁石部材と、前記回転板の一部分であって前記支軸の長手方向から見た前記リング部材の開閉しない側の面を有する部分に予め設けた磁石に付着する部材と、を貼り合わせる方法であることを特徴とする請求項１または請求項２記載のリングファイル。
【請求項５】
前記係合手段は、前記回転板を前記表紙体に予め設けられたクリップで挟持する方法であることを特徴とする請求項１または請求項２記載のリングファイル。
【発明の詳細な説明】
【技術分野】
【０００１】  本発明は、表紙体へ着脱可能な綴じ具を有するリングファイルに関するものである。
【背景技術】
【０００２】  紙葉類を綴じるための綴じ具を有するファイルの内、開閉可能なリング部材を有する綴じ具を表紙体に取り付けたいわゆるリングファイルとして、例えば下記特許文献１に示されているようなものが知られている。従来のリングファイルにおいて、被綴込物の閲覧や被綴込物への記入等の作業のためのスペースが被綴込物の面積程度に限られている場合に、被綴込物を綴じ具から取り外す手間と綴じ具から取り外した紙葉類の紛失の恐れとを解消する方法として、目的の頁を開いてから最も表表紙側にある被綴込物の表面と最も裏表紙側にある被綴込物の裏面とが近接する方向に被綴込物ないし表紙体を折り返して使う方法（以下、この使用方法を単に「片側に折り返す」と言い表すことにする）が考えられる。【０００３】  また、下記特許文献２に示されているような、表紙体へ着脱可能な綴じ具を有するファイルにおいて、片側に折り返す前に綴り金具を表紙体から取り外すようにすれば、綴り金具を表紙体から取り外さずに片側に折り返した場合と比べてより小さなスペースで、被綴込物を綴じ具から取り外さずに、被綴込物の閲覧や被綴込物への記入等の作業をすることが可能である。
【先行技術文献】
【特許文献】
【０００４】
【特許文献１】  特開２００２−１７８６７８号公報
【特許文献２】  特開２００８−１２００６０号公報
【発明の概要】
【発明が解決しようとする課題】
【０００５】  従来のリングファイルにおいて、片側に折り返すと、表紙体を挟んで上部に来る被綴込物と下部に来る被綴込物との間に過大な間隔が生じ、そのため被綴込物の綴じ穴周辺に過大な負担を掛ける恐れがあった。【０００６】  また、特許文献２記載のファイルにおいて、綴り金具を表紙体から取り外した状態で片側に折り返すと、水平面に対して傾いた綴り金具の直線はめ込み部分から被綴込物が脱落してしまう恐れがあった。【０００７】  本発明は、このような問題に鑑みなされたものであり、表紙体へ着脱可能な綴じ具を有するリングファイルであって、綴じ具を表紙体から取り外した状態で片側に折り返す際に、被綴込物が脱落せず、かつ綴じ具の基部に対して上部に来る被綴込物と下部に来る被綴込物との間隔が小さい、リングファイルを提供することを目的とする。
【課題を解決するための手段】
【０００８】  前記目的を達成するため、本発明のリングファイルは、
基部となる棒状の支軸と、そこに回転可能に基端部が固定され他端が互いに係り合って閉ループを形成可能な互いに対向する二個のリング片から成るリング部材と、回転板と、が設けられた綴じ具と、
表紙体と、
を備えて成るリングファイルであり、
前記回転板が前記支軸の長手方向を回転軸として前記支軸に対し前記リング部材が開閉しない側で約１８０度回転可能であって、前記回転板と前記表紙体とに予め設けられた係合手段によって前記綴じ具が前記表紙体へ着脱可能であることを特徴とする。
【発明の効果】
【０００９】  本発明によれば、綴じ具を表紙体から取り外した状態で被綴込物を片側に折り返すことで、被綴込物を綴じ具から取り外すことなく、被綴込物を脱落させずに、被綴込物の面積程度のスペースで、被綴込物の閲覧や被綴込物への記入等の作業が可能になる。同使用形態において、支軸に対して上部に来る被綴込物と下部に来る被綴込物との間に過大な間隔が生じないため、従来のリングファイルで片側に折り返した場合と比べて、被綴込物の綴じ穴周辺への負担を軽減することができる。
【図面の簡単な説明】
【００１０】
【図１】  本発明の一実施形態におけるリングファイルの主要部斜視図。
【図２】  同実施形態におけるリングファイルの分解斜視図。
【図３】  同実施形態のリングファイルと共に用いる被綴込物の斜視図。
【図４】  同実施形態における綴じ具の一部分の斜視図。
【図５】  同実施形態における表紙体の斜視図。
【図６】  同実施形態におけるリング片を示す図で、（ａ）は正面図、（ｂ）は背面図、（ｃ）は平面図、（ｄ）は底面図、（ｅ）は左側面図、（ｆ）は右側面図。
【図７】  同実施形態における回転板の斜視図。
【図８】  同実施形態において、綴じ具を表紙体から取り外し、片側に折り返した状態の側面図。
【図９】  本発明の他の実施形態におけるリングファイルの回転板と表紙体との係合手段を示す断面図。
【図１０】  本発明の更に他の実施形態におけるリングファイルの回転板と表紙体との係合手段を示す断面図。
【発明を実施するための形態】
【００１１】  本発明の実施形態を、図面を参照しながら説明する。
【実施例１】
【００１２】  ［基本的構成要素］
図１に主要部斜視図、図２に分解斜視図の示された本実施例におけるリングファイルは、綴じ具Ｂ、表紙体Ｃを基本構成要素として備える。【００１３】  図３に示すように、本実施例のリングファイルと共に用いる被綴込物Ｓの側辺には、予め一定の間隔Ｄで一定の直径Ｒの綴じ穴Ｓ１が二個開けられている。【００１４】  図４に示す綴じ具Ｂは、基部である棒状の支軸Ｂ１に、基本構成要素として、リング部材Ｂ２、Ｂ２、複数枚の回転板Ｂ３が設けられたものである。【００１５】  図５に示す表紙体Ｃは、綴じ幅を決定する背表紙Ｃ２と、背表紙Ｃ２短寸幅方向両側に連なる表表紙Ｃ１と裏表紙Ｃ３とから成る本体に、綴じ具嵌込部Ｃ４を備えて成る。【００１６】  ［各部の具体的構成］
上記各構成要素について説明する。【００１７】  リング部材Ｂ２は、図６に示す、太さが綴じ穴Ｓ１の直径Ｒ以下の半リング状のリング片Ｂ２ａ、Ｂ２ａから成る。リング片Ｂ２ａ、Ｂ２ａは、図４に示すように、基端部Ｂ２ａ１、Ｂ２ａ１に開けられた貫通孔Ｂ２ａ１ａ、Ｂ２ａ１ａを支軸Ｂ１が貫くことにより、支軸Ｂ１長手方向Ｘに対して略垂直に、互いに対向し、基端部Ｂ２ａ１で互いに略接するように、支軸Ｂ１に設けられている。リング部材Ｂ２は、リング片Ｂ２ａ、Ｂ２ａの先端の鉤状の係合部Ｂ２ａ２、Ｂ２ａ２の係合により閉リング状態とし、Ｂ２ａ２、Ｂ２ａ２の離間により開リング状態とすることができる。リングＢ２、Ｂ２の間隔は、被綴込物Ｓの綴じ穴Ｓ１の間隔Ｄと略等しい。【００１８】  図７に示す回転板Ｂ３は、長方形状の板状の羽根部材Ｂ３ａとその側辺に連なる筒状部Ｂ３ｂとを備え、筒状部Ｂ３ｂの貫通孔Ｂ３ｂ１を支軸Ｂ１が貫くことにより、羽根部材Ｂ３ａが支軸Ｂ１長手方向Ｘに対して略垂直になるように、支軸Ｂ１に設けられており、支軸Ｂ１長手方向Ｘに対しリング部材Ｂ２が開閉しない側Ｚ（図４参照）で約１８０度回転可能になっている。【００１９】  支軸Ｂ１に挿通されたリング部材Ｂ２、回転板Ｂ３が、支軸Ｂ１長手方向Ｘへ移動する、または支軸Ｂ１を回転軸として回転するのを禁止するために、図４に示すように、リング部材Ｂ２、回転板Ｂ３の支軸長手方向Ｘに垂直なＹ方向から見た両側にストッパ部Ｂ４（図４では筒状の小片）を設けて、リング部材Ｂ２、回転板Ｂ３を挟んで固定することが望ましい。【００２０】  綴じ具嵌込部Ｃ４は、綴じ具Ｂを支軸Ｂ１長手方向Ｘから嵌め込むために、表紙体Ｃを二重にした部分であり、回転板Ｂ３、Ｂ３を、支軸Ｂ１長手方向Ｘに対して両側に位置する状態で、表紙体３１と綴じ具嵌込部Ｃ４の間に嵌め込むことが可能になっており、その状態から必要に応じて綴じ具Ｂを抜き出し可能になっている。例えば、図１に示すように、Ｌ字型に開口した、表紙体Ｃを二重にした部分Ｃ４ａ、Ｃ４ａを、適当な間隔を空けて、線対称に配置すれば良い。【００２１】  表紙体Ｃには、綴じ具Ｂを綴じ具嵌込部Ｃ４に嵌め込んだ後に支軸Ｂ１長手方向Ｘから綴じ具Ｂが表紙体Ｃから脱落しないように固定することができ、必要に応じてその固定を解除して綴じ具Ｂを表紙体Ｃから抜き出すことができるように、固定部材Ｃ５を設けることが望ましい。例えば、綴じ具嵌込部Ｃ４を前例のように構成するとき、図１に示すように、長方形状の板状体であって、綴じ具嵌込部Ｃ４の綴じ具嵌込方向に開口した側辺の近傍にその一つの側辺が接着された、綴じ具Ｂを綴じ具嵌込部Ｃ４に嵌め込んだ後にその一部もまた綴じ具嵌込部Ｃ４に嵌め込み可能な板状体を、固定部材Ｃ５とすれば良い。【００２２】  ［使用方法］
被綴込物Ｓを綴じ具Ｂに綴じ込む方法、ないし被綴込物Ｓを綴じ具Ｂから取り外す方法は、従来通りである。すなわち、実際に綴じ込まれた被綴込物Ｓの綴じ込みたい項、ないし取り外したい項を開いて（綴じ具Ｂに被綴込物Ｓがまだ一枚も綴じられていない場合は何もしなくて良い）リングＢ２を開き、綴じ込みたい被綴込物Ｓの綴じ穴Ｓ１をリング片Ｂ２ａに通す、ないし取り外したい被綴込物Ｓをリング片Ｂ２ａから抜き出す操作の後、リングＢ２を閉じる、という方法である。【００２３】  保存時と携帯時などは、綴じ具Ｂを綴じ具嵌込部Ｃ４に嵌め込んで（固定部材Ｃ５で）綴じ具Ｂが表紙体Ｃから脱落しないように固定して使用することが好ましい。【００２４】  被綴込物Ｓの閲覧や被綴込物Ｓへの記入等の作業のためのスペースが比較的狭い場合には、（固定部材Ｃ５の固定を解除して）綴じ具Ｂを綴じ具嵌込部Ｃ４から抜き出した状態で片側に折り返すことで、被綴込物Ｓを綴じ具Ｂから取り外すことなく、被綴込物Ｓの面積程度のスペースで、同様の作業を行うことが可能になる（図２、図８を参照）。
【実施例２】
【００２５】  実施例１において、表紙体Ｃに綴じ具嵌込部Ｃ４（と固定部材Ｃ５）を設ける代わりに、図９に示すように、羽根部材Ｂ３ａの一部分であって支軸Ｂ１長手方向Ｘから見たリング部材Ｂ２が開閉しない側の面を有する部分に磁石に付着する部材Ｂ３ａ１を設け、表紙体Ｃに回転板Ｂ３を貼り付けるための磁石部Ｃ６を設けるようにしても、綴じ具Ｂが表紙体Ｃへ自在に着脱可能であって、綴じ具Ｂを表紙体Ｃから取り外した状態で片側に畳んで使っても前実施例と同様の効果が得られるリングファイルを構成することができる。【００２６】  ［その他の変更可能性］
なお、本発明は上記の実施例に限定されずに、本発明の趣旨を逸脱しない限り、各部の構成について種々の変更が可能である。例えば、綴じ穴Ｓ１の数やリングＢ２の数を変更したり、リング片Ｂ２ａを支軸Ｂ１に接続する別の部材に回転可能に取り付けるようにしたり、リングＢ２を異なる形状の二個のリング片を合わせたとものとしたりしても良い。また、綴じ具Ｂの表紙体Ｃへの着脱方法についても、図１０に示すように実施例１において綴じ具嵌込部Ｃ４を回転板Ｂ３を押圧部Ｃ７ｂ、Ｃ７ｂで挟持可能な（例えば板ばねＣ７ａを用いた）クリップＣ７に置き換える（この場合に回転板Ｂ３は一枚でも良く、また図１に示すような固定部材Ｃ５を設ける必要はない）、実施例２において磁石部Ｃ６と磁石に付着する部材Ｂ３ａ１を一対のマジックテープに置き換えるなど、種々の方法を採ることができる。
【符号の説明】
【００２７】Ｓ            被綴込物
Ｓ１          綴じ穴
Ｄ            綴じ穴Ｓ１の間隔
Ｒ            綴じ穴Ｓ１の直径
Ｂ            綴じ具
Ｂ１          支軸
Ｂ２          リング部材
Ｂ２ａ        リング片
Ｂ２ａ１      基端部
Ｂ２ａ１ａ    貫通孔
Ｂ２ａ２      係合部
Ｂ３          回転板
Ｂ３ａ        羽根部材
Ｂ３ａ１      磁石に付着する部材
Ｂ３ｂ        筒状部
Ｂ３ｂ１      貫通孔
Ｂ４          ストッパ部
Ｃ            表紙体
Ｃ１          表表紙
Ｃ２          背表紙
Ｃ３          裏表紙
Ｃ４          綴じ具嵌込部
Ｃ５          固定部材
Ｃ６          磁石部
Ｃ７          クリップ部
Ｃ７ａ        板ばね
Ｃ７ｂ        押圧部
Ｘ            支軸Ｂ１長手方向
Ｙ            方向Ｘに対し垂直な方向
Ｚ            方向Ｘに対しリング部材Ｂ２の開閉しない側
【図１】
2012111219.tif 000003
【図２】
2012111219.tif 000004
【図３】
2012111219.tif 000005
【図４】
2012111219.tif 000006
【図５】
2012111219.tif 000007
【図６】
2012111219.tif 000008
【図７】
2012111219.tif 000009
【図８】
2012111219.tif 000010
【図９】
2012111219.tif 000011
【図１０】
2012111219.tif 000012